(57)【要約】【課題】この発明は、電子番組表に表示される多数の番組から所望の番組を容易かつ迅速に検索することを可能とした番組検索装置及び番組検索方法を提供することを目的としている。【解決手段】配信予定番組に関する番組情報を取得する取得手段４７，６１と、配信予定番組から所定の番組を検索するために、複数種類の検索条件を含む番組検索条件を設定可能とする設定手段１７，６１と、取得手段４７，６１で取得された番組情報から、設定手段１７，６１で設定された番組検索条件に基づいて番組検索を行なう検索手段６１とを備える。【選択図】    図２
2006093991.tif 000002
【特許請求の範囲】
【請求項１】
配信予定番組に関する番組情報を取得する取得手段と、
前記配信予定番組から所定の番組を検索するために、複数種類の検索条件を含む番組検索条件を設定可能とする設定手段と、
前記取得手段で取得された番組情報から、前記設定手段で設定された番組検索条件に基づいて番組検索を行なう検索手段とを具備することを特徴とする番組検索装置。
【請求項２】
前記設定手段は、それぞれが複数種類の検索条件を含む複数の番組検索条件を設定可能であり、
前記検索手段は、前記設定手段で設定された複数の番組検索条件のそれぞれに基づいて番組検索を行なうことを特徴とする請求項１記載の番組検索装置。
【請求項３】
前記設定手段で設定可能な複数の番組検索条件を一覧表示する検索条件表示手段を具備することを特徴とする請求項２記載の番組検索装置。
【請求項４】
前記検索手段により前記設定手段で設定された複数の番組検索条件のそれぞれに基づいて検索された番組を、いずれの番組検索条件に基づいて検索された番組であるかに無関係に混合して一覧表示する検索結果表示手段を具備することを特徴とする請求項２記載の番組検索装置。
【請求項５】
前記検索結果表示手段は、一覧表示された番組に対して、いずれの番組検索条件に基づいて検索された番組であるかを表示することを特徴とする請求項４記載の番組検索装置。
【請求項６】
前記検索結果表示手段に一覧表示された番組の中から所定の番組を選択可能とする選択手段と、
前記選択手段で選択された番組に対して番組予約の設定を可能とする番組予約手段とを具備することを特徴とする請求項４または５記載の番組検索装置。
【請求項７】
前記設定手段は、前記番組検索条件が含む複数種類の検索条件として、ジャンル、キーワード、チャンネルのいずれかを設定可能であることを特徴とする請求項１乃至６いずれかに記載の番組検索装置。
【請求項８】
前記検索手段は、前記設定手段により番組検索条件が設定された場合、予め設定された所定のタイミングで、前記取得手段で取得された番組情報から前記番組検索条件に基づいた番組検索を行ない、その検索結果を保持することを特徴とする請求項１乃至７いずれかに記載の番組検索装置。
【請求項９】
前記検索手段が番組検索を行なうタイミングは、予め設定された一定の時間が経過する毎、本体装置の電源が投入されたとき、前記番組情報が更新されたときのいずれかを含むことを特徴とする請求項８記載の番組検索装置。
【請求項１０】
前記検索手段は、前記設定手段で設定された番組検索条件に含まれる複数種類の検索条件の少なくとも１つに対応する番組を検索することを特徴とする請求項１乃至９いずれかに記載の番組検索装置。
【請求項１１】
前記検索手段は、前記設定手段で設定された番組検索条件に含まれる複数種類の検索条件のうちから、全てでない複数種類の組み合わせに対応する番組を検索することを特徴とする請求項１乃至９いずれかに記載の番組検索装置。
【請求項１２】
前記検索手段は、前記設定手段で設定された番組検索条件に含まれる複数種類の検索条件の全ての組み合わせに対応する番組を検索することを特徴とする請求項１乃至９いずれかに記載の番組検索装置。
【請求項１３】
配信予定番組に関する番組情報を取得する工程と、
前記配信予定番組から所定の番組を検索するために、複数種類の検索条件を含む番組検索条件を設定する工程と、
取得された番組情報から設定された番組検索条件に基づいて番組検索を行なう工程とを具備することを特徴とする番組検索方法。
【請求項１４】
前記検索された番組を選択的に予約する工程を具備することを特徴とする請求項１３記載の番組検索方法。
【発明の詳細な説明】
【技術分野】
【０００１】
この発明は、例えばデジタルテレビジョン放送受信装置等に使用して好適する番組検索装置及び番組検索方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
ところで、ＥＰＧ情報には、放送される多数のチャンネルのそれぞれに対して約１週間分もの電子番組表を作成可能な情報が含まれている。このため、デジタル放送受信装置においては、電子番組表に表示される膨大な数の番組の中から、ユーザが所望の番組を容易かつ迅速に選択できるように工夫を施すことが重要となる。
【０００５】
特許文献１には、ジャンル以外の項目及び番組内容情報を解析することにより、不足、欠落しているジャンル情報を補足して、視聴者の所望する番組をもれなく検索するようにした技術が開示されている。
【０００６】
また、特許文献２には、複数の分類項目にまたがって番組を検索して表示することにより、利用者の潜在的な要求に応じて、より適切な番組の選択を行なうことを可能とした技術が開示されている。
【０００７】
さらに、特許文献３には、電子番組表の表示形態を視聴者から提供された条件にしたがって変換することができるようにした技術が開示されている。
【特許文献１】特開２００２−１３５７３３号公報
【特許文献２】特開２００３−２６４７５２号公報
【特許文献３】特開２００２−３６９０９３号公報
【発明の開示】
【発明が解決しようとする課題】
【０００８】
そこで、この発明は上記事情を考慮してなされたもので、電子番組表に表示される多数の番組から所望の番組を容易かつ迅速に検索することを可能とした番組検索装置及び番組検索方法を提供することを目的とする。
【課題を解決するための手段】
【０００９】
この発明に係る番組検索装置は、配信予定番組に関する番組情報を取得する取得手段と、配信予定番組から所定の番組を検索するために、複数種類の検索条件を含む番組検索条件を設定可能とする設定手段と、取得手段で取得された番組情報から、設定手段で設定された番組検索条件に基づいて番組検索を行なう検索手段とを備えるようにしたものである。
【００１０】
また、この発明に係る番組検索方法は、配信予定番組に関する番組情報を取得する工程と、配信予定番組から所定の番組を検索するために、複数種類の検索条件を含む番組検索条件を設定する工程と、取得された番組情報から設定された番組検索条件に基づいて番組検索を行なう工程とを備えるようにしたものである。
【発明の効果】
【００１１】
上記した発明によれば、配信予定番組に関する番組情報から、複数種類の検索条件を含む番組検索条件に基づいて番組検索を行なうようにしたので、電子番組表に表示される多数の番組から所望の番組を容易かつ迅速に検索することが可能となる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
ここで、上記したデジタルテレビジョン放送受信装置１１の有する番組検索機能について説明する。この番組検索機能は、電子番組表に表示された放送予定の番組の中から、ユーザによって予め設定された検索条件に対応した番組を自動的に検索するものである。
【００４５】
図４は、上記検索条件を設定する動作を説明するためのフローチャートを示している。この動作が開始（ステップＳ４ａ）されると、制御部６１は、ステップＳ４ｂで、ユーザがリモートコントローラ１７のメニューキー１７ｐを操作して映像表示器１４に表示させた設定メニューの階層から、検索条件を設定するためのお好み番組設定の項目を選択設定したことを検知する。
【００４６】
すると、制御部６１は、ステップＳ４ｃで、図５に示すようなお好み番組設定画面を表示させる。このお好み番組設定画面では、それぞれが「ジャンル」、「キーワード」及び「チャンネル」の３つの検索条件を設定可能な、４種類のお好み番組検索条件Ａ〜Ｄを設定することができる。
【００４７】
ここで、ユーザが、リモートコントローラ１７のカーソルキー１７ｆを操作してお好み番組検索条件Ａの「ジャンル」の項目を選択し、決定キー１７ｇを操作すると、制御部６１は、図６に示すようなジャンル設定画面を表示させる。
【００４８】
このジャンル設定画面では、「映画」、「洋画」、「邦画」、「スポーツ」等々の複数のジャンルを示す項目が一覧表示され、ユーザが任意のジャンルに対応する項目を選択することができるようになっており、設定されたジャンルに対応する番組検索が可能となっている。なお、「指定しない」の項目を選択することにより、ジャンルを検索条件として指定しないことも可能である。
【００４９】
ジャンルの設定が正しく終了した場合、または、リモートコントローラ１７の戻るキー１７ｋが操作された場合、再び、図５に示したお好み番組設定画面に戻る。
【００５０】
次に、制御部６１は、ユーザがお好み番組検索条件Ａの「キーワード」の項目を選択設定すると、図７に示すようなキーワード設定画面を表示させる。このキーワード設定画面では、ユーザが最大で１４個のキーワードを設定可能となっており、例えば設定されたキーワードの論理和に基づいた番組検索が可能となっている。なお、「指定しない」の項目を選択することにより、キーワードを検索条件として指定しないことも可能である。
【００５１】
キーワードの設定が正しく終了した場合、または、リモートコントローラ１７の戻るキー１７ｋが操作された場合、再び、図５に示したお好み番組設定画面に戻る。
【００５２】
次に、制御部６１は、ユーザがお好み番組検索条件Ａの「チャンネル」の項目を選択設定すると、図８に示すようなチャンネル設定画面を表示させる。このチャンネル設定画面では、地上デジタル放送等の放送の形態毎にチャンネルを設定可能となっており、設定されたチャンネルの番組を検索可能となっている。
【００５３】
チャンネルの設定が正しく終了した場合、または、リモートコントローラ１７の戻るキー１７ｋが操作された場合、再び、図５に示したお好み番組設定画面に戻る。
【００５４】
そして、他のお好み番組検索条件Ｂ〜Ｄにおける「ジャンル」、「キーワード」及び「チャンネル」の３つの検索条件についても、それぞれ、上記と同様の手法により設定可能となっている。
【００５５】
その後、制御部６１は、ステップＳ４ｄで、ユーザがお好み番組設定画面上で「設定完了」の項目を選択設定したことを検知すると、お好み番組検索条件Ａ〜Ｄの設定を完了して、処理を終了（ステップＳ４ｅ）する。
【００５６】
以上のようにして、４種類のお好み番組検索条件Ａ〜Ｄがそれぞれ設定可能となる。設定されたお好み番組検索条件Ａ〜Ｄは、不揮発性メモリ６４に格納される。なお、４種類のお好み番組検索条件Ａ〜Ｄとしては、いずれから設定しても良く、また、全てを設定する必要はない。さらに、各お好み番組検索条件Ａ〜Ｄの中のジャンル、キーワード、チャンネルの項目についても、特に順序はなく、いずれから設定しても良いように構成されている。
【００５７】
ここで、制御部６１は、各お好み番組検索条件Ａ〜Ｄについて、それぞれ設定された３つの検索条件（ジャンル、キーワード、チャンネル）の論理積に該当する番組を検索するようになっている。
【００５８】
なお、３つの検索条件のうちのいずれか１つに該当する番組、いずれか２つの検索条件の論理積や論理和に該当する番組、全ての検索条件の論理積や論理和の組み合わせに該当する番組を検索するように設定することも可能である。これらの設定は、ユーザの操作によって実現される。
【００５９】
図９は、電子番組表に表示された放送予定の番組の中から、上記のようにして設定された４種類のお好み番組検索条件Ａ〜Ｄに対応する番組を検索する動作を説明するためのフローチャートを示している。この動作は、ユーザがリモートコントローラ１７のfaceネットキー１７ｊを操作することにより開始（ステップＳ９ａ）される。
【００６０】
すなわち、制御部６１は、ステップＳ９ｂで、faceネットキー１７ｊの操作を検知すると、ステップＳ９ｃで、faceネット（ナビゲーション）を起動させ、図１０に示すようなナビゲーション画面を映像表示器１４に表示させる。
【００６１】
このナビゲーション画面では、「テレビ」、「録画番組」、「写真」、「インターネット」、「Ｅメール」の５つの項目が選択可能に表示される。この選択は、リモートコントローラ１７のカーソルキー１７ｆを操作して所望の項目を選択し、決定キー１７ｇを操作することにより実行される。選択された項目は、画面上で他の項目と色を変えて表示されるが、図１０では「テレビ」が選択された状態をハッチングにより示している。
【００６２】
ここで、制御部６１は、ユーザが「テレビ」の項目を選択し、さらにその中に含まれる「お好み番組」の項目を選択設定したことを検知すると、ステップＳ９ｄで、図１１に示すようなお好み番組表示画面を表示させ、ステップＳ９ｅで、先に設定した４種類のお好み番組検索条件Ａ〜Ｄに対応する番組を、電子番組表から検索する。
【００６３】
この場合、お好み番組表示画面は、最初空欄であり、お好み番組検索条件Ａ〜Ｄに対応する番組が電子番組表から検索される毎に、空欄が埋められていくことになる。このときには、検索中を示すアイコン７３が画面に表示される。また、検索された番組は、４種類のお好み番組検索条件Ａ〜Ｄのいずれに対応したかに無関係に、お好み番組表示画面に混合表示される。
【００６４】
さらに、番組の検索は、配信予定番組に関連して予め配信される番組情報、つまり、電子番組表を作成するために予め放送信号やネットワーク等を介して取得し、不揮発性メモリ６４に蓄積しておいたＥＰＧ情報と、各お好み番組検索条件Ａ〜Ｄとを照合することによって行なわれる。検索結果は、不揮発性メモリ６４に格納される。
【００６５】
そして、上記お好み番組表示画面では、検索された番組に対して、その番組名、チャンネル、現在放送中であることを示すアイコン７４、放送日時等が表示される。また、検索された番組が該当したお好み番組検索条件Ａ〜Ｄを示す領域７５も設けられている。この領域７４には、１つの番組に対して複数のお好み番組検索条件Ａ〜Ｄが該当した場合、その該当した全てのお好み番組検索条件Ａ〜Ｄが表示される。
【００６６】
さらに、このお好み番組表示画面の場合、一画面には最大で７つの番組が表示可能であるが、それ以上の数の番組が検索された場合には、リモートコントローラ１７のカーソルキー１７ｆを操作して、上下にスクロールさせることで全ての検索番組を表示させることができる。
【００６７】
そして、上記制御部６１は、ステップＳ９ｆで、上記のような電子番組表からのお好み番組検索条件Ａ〜Ｄに対応する番組検索が全て完了し、お好み番組表示画面に表示可能な状態になったことを検知して、処理を終了（ステップＳ９ｇ）する。
【００６８】
上記した実施の形態によれば、それぞれがジャンル、キーワード、チャンネル等の検索条件を設定可能な４種類のお好み番組検索条件Ａ〜Ｄを設定することにより、電子番組表からお好み番組検索条件Ａ〜Ｄに対応した番組を検索可能としたので、電子番組表に表示される多数の番組から所望の番組を容易かつ迅速に検索することが可能となる。
【００６９】
図１２は、電子番組表に表示された放送予定の番組の中から、４種類のお好み番組検索条件Ａ〜Ｄに対応する番組を検索する動作の他の例を説明するためのフローチャートを示している。
【００７０】
この動作は、ユーザがお好み番組検索条件Ａ〜Ｄの設定を完了したとき、つまり、ユーザがお好み番組設定画面上で「設定完了」の項目を選択設定したことにより、開始（ステップＳ１２ａ）される。
【００７１】
すると、制御部６１は、ステップＳ１２ｂで、予め設定された所定のタイミングで、電子番組表から４種類のお好み番組検索条件Ａ〜Ｄに対応する番組を事前検索し、その検索結果を不揮発性メモリ６４に格納し保持させる。
【００７２】
その後、制御部６１は、ステップＳ１２ｃで、ユーザによりるfaceネットキー１７ｊの操作を検知すると、ステップＳ１２ｄで、faceネット（ナビゲーション）を起動させ、図１０に示したナビゲーション画面を映像表示器１４に表示させる。
【００７３】
そして、制御部６１は、ステップＳ１２ｅで、ユーザがナビゲーション画面から「テレビ」の項目を選択し、さらにその中に含まれる「お好み番組」の項目を選択設定したことを検知すると、ステップＳ１２ｆで、事前に不揮発性メモリ６４に保持しておいた検索番組に基づいて、図１１に示したようにお好み番組表示画面を作成して表示させ、処理を終了（ステップＳ１２ｇ）する。
【００７４】
上記の動作によれば、お好み番組検索条件Ａ〜Ｄの設定を完了したとき、設定された４種類のお好み番組検索条件Ａ〜Ｄに対応する番組を事前検索し、その検索結果を不揮発性メモリ６４に保持しておくようにしたので、お好み番組の表示が要求されたとき、不揮発性メモリ６４に保持された検索結果を読み出すだけで、迅速にお好み番組表示画面を作成して表示することが可能となる。
【００７５】
なお、電子番組表から４種類のお好み番組検索条件Ａ〜Ｄに対応する番組を事前検索するタイミングとしては、例えば、予め設定された一定の時間が経過する毎、デジタルテレビジョン放送受信装置１１の電源が投入されたとき、ＥＰＧ情報が更新されたとき、これらの組み合わせ、等々が挙げられる。
【００７６】
また、上記した実施の形態では、放送される番組からお好み番組検索条件Ａ〜Ｄに対応する番組を検索することについて述べたが、例えばＣＡＴＶやネットワーク等を介して配信される番組に対しても、電子番組表を作成可能な番組情報が取得できれば、お好み番組検索条件Ａ〜Ｄに対応する番組を検索することが可能である。
【００７７】
ここで、このデジタルテレビジョン放送受信装置１１は、上記のようにして表示されたお好み番組表示画面から、リモートコントローラ１７のカーソルキー１７ｆを操作して所望の番組を選択し、決定キー１７ｇを操作することにより、その番組を予約することができる機能を有している。この番組予約には、指定した番組を指定した録画機器またはメモリカード等の記録媒体に録画する録画予約と、指定した番組の選局のみを行なう視聴予約とがある。
【００７８】
図１３は、お好み番組表示画面から選択された番組を予約する動作を説明するためのフローチャートを示している。この動作は、ユーザがお好み番組表示画面から所望の番組を選択設定することにより、開始（ステップＳ１３ａ）される。
【００７９】
すると、制御部６１は、ステップＳ１３ｂで、お好み番組表示画面の中から所望の番組が選択設定されたことを検知すると、ステップＳ１３ｃで、図１４（ａ）に示すような予約選択画面を表示させる。
【００８０】
この予約選択画面では、先に選択設定した番組に対する放送チャンネル、放送日、内容の概略説明等が表示され、録画予約か視聴予約かをユーザに選択させることができる。この選択も、リモートコントローラ１７のカーソルキー１７ｆを操作して録画予約か視聴予約かを選択し、決定キー１７ｇを操作することにより実行される。
【００８１】
そして、制御部６１は、ステップＳ１３ｄで、録画予約及び視聴予約のいずれが選択されたかを判別し、視聴予約が選択されたと判断された場合、ステップＳ１３ｅで、視聴予約のために設定された各情報を不揮発性メモリ６４に格納して視聴予約設定を完了し、処理を終了（ステップＳ１３ｈ）する。このように視聴予約が設定されることにより、選択された番組が自動的に選局され視聴に供されるようになる。
【００８２】
また、上記ステップＳ１３ｄで録画予約が選択されたと判断された場合、制御部６１は、ステップＳ１３ｆで、図１４（ｂ）に示すような録画予約設定画面を表示させる。この録画予約設定画面では、先に選択設定した番組を録画予約するか否かの選択、録画する録画機器または記録媒体の指定等を行なうことができる。
【００８３】
そして、制御部６１は、録画予約設定画面において録画予約が要求され種々の必要項目が設定された場合に、ステップＳ１３ｇで、録画予約のために設定された各情報を不揮発性メモリ６４に格納して録画予約設定を完了し、処理を終了（ステップＳ１３ｈ）する。このように録画予約が設定されることにより、選択された番組が、指定された録画機器または記録媒体に自動的に録画されるようになる。
【００８４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８５】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置の番組検索条件を設定する動作を説明するために示すフローチャート。
【図５】同実施の形態におけるデジタルテレビジョン放送受信装置で表示されるお好み番組設定画面の一例を説明するために示す図。
【図６】同実施の形態におけるデジタルテレビジョン放送受信装置で表示されるジャンル設定画面の一例を説明するために示す図。
【図７】同実施の形態におけるデジタルテレビジョン放送受信装置で表示されるキーワード設定画面の一例を説明するために示す図。
【図８】同実施の形態におけるデジタルテレビジョン放送受信装置で表示されるチャンネル設定画面の一例を説明するために示す図。
【図９】同実施の形態におけるデジタルテレビジョン放送受信装置の番組検索動作を説明するために示すフローチャート。
【図１０】同実施の形態におけるデジタルテレビジョン放送受信装置で表示されるナビゲーション画面の一例を説明するために示す図。
【図１１】同実施の形態におけるデジタルテレビジョン放送受信装置で表示されるお好み番組表示画面の一例を説明するために示す図。
【図１２】同実施の形態におけるデジタルテレビジョン放送受信装置の番組検索動作の他の例を説明するために示すフローチャート。
【図１３】同実施の形態におけるデジタルテレビジョン放送受信装置の検索された番組を予約する動作を説明するために示すフローチャート。
【図１４】同実施の形態におけるデジタルテレビジョン放送受信装置に番組予約を設定する際の各種設定画面の一例を説明するために示す図。
【符号の説明】
【００８６】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３，７４…アイコン、７５…領域。
【図１】
2006093991.tif 000003
【図２】
2006093991.tif 000004
【図３】
2006093991.tif 000005
【図４】
2006093991.tif 000006
【図５】
2006093991.tif 000007
【図６】
2006093991.tif 000008
【図７】
2006093991.tif 000009
【図８】
2006093991.tif 000010
【図９】
2006093991.tif 000011
【図１０】
2006093991.tif 000012
【図１１】
2006093991.tif 000013
【図１２】
2006093991.tif 000014
【図１３】
2006093991.tif 000015
【図１４】
2006093991.tif 000016